(57)【要約】【課題】露光量を調整する機能を有しないカメラを利用して、認証処理を実行することができる画像形成装置を提供する。【解決手段】画像形成装置１は、入力部４と、操作部２と、制御部６とを備える。入力部６は、所定の撮像範囲を撮像した撮像画像を示す撮像画像データを入力する。操作部２は、ユーザーからの指示を受け付ける。制御部６は、光源を発光させる。光源は、操作部２が有する第１光源２１１を含む。撮像画像は、被写体を示す被写体画像を含む。制御部６は、撮像画像データに基づいて、被写体画像の輝度値が閾値以上であるか否かを判定する。制御部６は、輝度値が閾値以上であると判定すると、光源を発光させずに撮像した撮像画像データに基づいて認証処理を実行する。制御部６は、輝度値が閾値以上ではないと判定すると、光源を発光させて撮像した撮像画像データに基づいて認証処理を実行する。【選択図】図２
2019109595.tif 000002
【特許請求の範囲】
【請求項１】
所定の撮像範囲を撮像した撮像画像を示す撮像画像データを入力する入力部と、
ユーザーからの指示を受け付ける操作部と、
光源を発光させる制御部と
を備え、
前記光源は、前記操作部が有する第１光源を含み、
前記撮像画像は、被写体を示す被写体画像を含み、
前記制御部は、前記撮像画像データに基づいて、前記被写体画像の輝度値が閾値以上であるか否かを判定し、
前記制御部は、前記輝度値が閾値以上であると判定すると、前記光源を発光させずに撮像した前記撮像画像データに基づいて認証処理を実行し、前記輝度値が閾値以上ではないと判定すると、前記光源を発光させて撮像した前記撮像画像データに基づいて前記認証処理を実行する、画像形成装置。
【請求項２】
前記操作部は、ディスプレーを有し、
前記第１光源は、前記ディスプレーのバックライトを構成する、請求項１に記載の画像形成装置。
【請求項３】
原稿の画像を読み取って原稿の画像データを出力する原稿読取装置を更に備え、
前記光源は、前記第１光源とは異なる第２光源を含み、
前記原稿読取装置は、前記第２光源を有する、請求項１又は請求項２に記載の画像形成装置。
【請求項４】
前記原稿読取装置は、
開閉自在なカバー部材と、
前記カバー部材の姿勢が開姿勢及び閉姿勢のいずれであるかを示す開閉信号を出力する開閉検知スイッチと
を更に有し、
前記制御部は、前記開閉信号に基づいて、前記カバー部材が開姿勢であるか否かを判定し、
前記制御部は、前記カバー部材が開姿勢であると判定すると、前記第２光源を発光させ、
前記制御部は、前記カバー部材が閉姿勢であると判定すると、前記第１光源を発光させる、請求項３に記載の画像形成装置。
【請求項５】
前記第２光源は、前記撮像範囲に沿って移動自在であり、
前記制御部は、前記撮像範囲における前記被写体の位置に基づいて、前記第２光源の移動量を算出する、請求項３又は請求項４に記載の画像形成装置。
【請求項６】
前記原稿読取装置は、原稿が載置されるコンタクトガラスを更に有し、
前記制御部は、前記コンタクトガラスの中心位置と前記撮像範囲の中心位置とに基づいて、前記第２光源の移動量を算出する、請求項５に記載の画像形成装置。
【請求項７】
前記光源の発光量は一定である、請求項１〜請求項６のいずれか１項に記載の画像形成装置。
【請求項８】
前記撮像画像データを出力する撮像装置と、
請求項１〜請求項７のいずれか１項に記載の画像形成装置と
を備えた画像形成システム。
【発明の詳細な説明】
【技術分野】
【０００１】
本発明は、画像形成装置、及び画像形成システムに関する。
【背景技術】
【０００２】
特許文献１には、環境光の変動の影響を抑制する撮像装置が開示されている。特許文献１に開示の撮像装置は、撮像部と、光源部と、演算処理部と、露光量調整手段とを備える。撮像部は、対象空間を撮像する。光源部は、対象空間に光を照射する。演算処理部は、画素数カウント部と、自動露光制御部とを有する。画素数カウント部は、光源点灯時画像を構成する画素のうち、輝度値が閾値以上である画素の数をカウントする。光源点灯時画像は、光源部が点灯時の画像を示す。自動露光制御部は、画素数カウント部がカウントした画素の数が規定値以上である場合に、露光量調整手段を制御して露光量を減少させる。
【０００３】
また、近年、ユーザーを認証する認証技術として、撮像装置を利用する認証技術が普及している。撮像装置を利用する認証技術は、例えば、撮像装置が撮像する顔画像を利用してユーザーの認証処理を行う。
【先行技術文献】
【特許文献】
【０００４】
【特許文献１】特開２００９−１８２４６１号公報
【発明の概要】
【発明が解決しようとする課題】
【０００５】
しかしながら、撮像装置を利用する認証技術では、環境光が変動することによって、ユーザーの認証処理が失敗する虞があった。そのため、環境光の変動の影響を抑制するために、特許文献１に開示のような露光量を調整する機能を有する撮像装置を使用する必要があった。
【０００６】
本発明は、上記課題に鑑み、露光量を調整する機能を有しないカメラを利用して、認証処理を実行することができる画像形成装置及び画像形成システムを提供することを目的とする。
【課題を解決するための手段】
【０００７】
本発明に係る画像形成装置は、入力部と、操作部と、制御部とを備える。前記入力部は、所定の撮像範囲を撮像した撮像画像を示す撮像画像データを入力する。前記操作部は、ユーザーからの指示を受け付ける。前記制御部は、光源を発光させる。前記光源は、前記操作部が有する第１光源を含む。前記撮像画像は、被写体を示す被写体画像を含む。前記制御部は、前記撮像画像データに基づいて、前記被写体画像の輝度値が閾値以上であるか否かを判定する。前記制御部は、前記輝度値が閾値以上であると判定すると、前記光源を発光させずに撮像した前記撮像画像データに基づいて認証処理を実行する。前記制御部は、前記輝度値が閾値以上ではないと判定すると、前記光源を発光させて撮像した前記撮像画像データに基づいて前記認証処理を実行する。
【発明の効果】
【０００８】
本発明によれば、露光量を調整する機能を有しないカメラを利用して、認証処理を実行できる。
【図面の簡単な説明】
【０００９】
【図１】本発明の実施形態１に係る画像形成システムの構成を示す図である。
【図２】本発明の実施形態１に係る画像形成システムの構成を示すブロック図である。
【図３】本発明の実施形態１に係る認証処理を示すフローチャートである。
【図４】本発明の実施形態１に係る画像判定処理を示すフローチャートである。
【図５】本発明の実施形態１に係る光源制御処理を示すフローチャートである。
【図６】本発明の実施形態２に係る画像形成システムの構成を示す図である。
【図７】本発明の実施形態２に係る画像形成システムの構成を示すブロック図である。
【図８】（ａ）及び（ｂ）は、本発明の実施形態２に係る原稿読取装置の構成を示す図である。
【図９】本発明の実施形態２に係る光源制御処理を示すフローチャートである。
【図１０】（ａ）は、本発明の実施形態２に係る撮像画像を示す図であり、（ｂ）は、本発明の実施形態２に係るコンタクトガラス及びカメラを上方から見た図である。
【図１１】本発明の実施形態２に係る光源移動処理を示すフローチャートである。
【発明を実施するための形態】
【００１０】
以下、図面を参照して、本発明に係る画像形成装置及び画像形成システムの実施形態について説明する。なお、図中、同一又は相当部分については同一の参照符号を付して説明を繰り返さない。
【００１１】
［実施形態１］
まず、図１を参照して、本実施形態に係る画像形成システム１００の構成を説明する。図１は、実施形態１に係る画像形成システム１００の構成を示す図である。
【００１２】
図１に示すように、画像形成システム１００は、画像形成装置１と、画像形成装置１に接続するカメラ１０とを備える。本実施形態において、画像形成装置１は、モノクロ方式のプリンターである。本実施形態において、カメラ１０は、市販のＷｅｂカメラである。
【００１３】
画像形成装置１は、操作部２を備える。以下では、画像形成装置１のうち、操作部２が配置される側を画像形成装置１の前側とし、その反対側を画像形成装置１の後ろ側として実施形態を説明する。また、画像形成装置１を前側から見たときの右側を画像形成装置１の右側とし、その反対側を画像形成装置１の左側として実施形態を説明する。また、画像形成装置１の前後方向及び左右方向と直交する方向において、操作部２が配置される側を画像形成装置１の上側とし、その反対側を画像形成装置１の下側として実施形態を説明する。
【００１４】
操作部２は、画像形成装置１に対するユーザーからの指示を受け付ける。操作部２は、ユーザーからの指示を受け付けると、ユーザーからの指示を示す信号を出力する。
【００１５】
操作部２は、ディスプレー２１、複数の操作キー２２、及び状態通知部２３を含む。
【００１６】
ディスプレー２１は、各種画面を表示する。複数の操作キー２２は、例えば、テンキー、スタートキー、及びキャンセルキーを含む。状態通知部２３は、画像形成装置１の状態を通知する。状態通知部２３は、例えば、画像形成装置１がエラー状態であることを示す。
【００１７】
カメラ１０は、所定の撮像範囲を撮像する。本実施形態において、所定の撮像範囲は、画像形成装置１の左右方向に沿った範囲である。
【００１８】
続いて、図２を参照して、実施形態１に係る画像形成システム１００の構成について更に説明する。図２は、実施形態１に係る画像形成システム１００の構成を示すブロック図である。
【００１９】
画像形成装置１は、操作部２に加え、画像形成部３、装置通信部４、記憶部５、及び装置制御部６を備える。装置通信部４は、入力部の一例である。
【００２０】
ディスプレー２１は、第１光源２１１を有する。第１光源２１１は、発光する。第１光源２１１の発光量は一定である。本実施形態において、ディスプレー２１は、液晶ディスプレーである。第１光源２１１は、例えば、ＬＥＤ（ｌｉｇｈｔ  ｅｍｉｔｔｉｎｇ  ｄｉｏｄｅ）であり、液晶ディスプレー用のバックライトを構成する。
【００２１】
状態通知部２３は、ＬＥＤランプ２３１を有する。ＬＥＤランプ２３１は、発光することにより、点灯状態及び消灯状態の間で状態が切り替わる。状態通知部２３は、ＬＥＤランプ２３１の状態を切り替えることによって、画像形成装置１の状態を通知する。
【００２２】
画像形成部３は、シートに画像を形成する。本実施形態において、画像形成部３は、露光装置、帯電装置、現像装置、及び感光体ドラムを備え、電子写真方式によってシートに画像を形成する。
【００２３】
装置通信部４は、同じ通信方式を利用する電子機器との間で通信可能な通信装置である。装置通信部４は、装置通信端子を有する。装置通信端子には、通信用のケーブルが接続される。本実施形態において、装置通信部４は、ＵＳＢ（Ｕｎｉｖｅｒｓａｌ  Ｓｅｒｉａｌ  Ｂｕｓ）アダプターであり、ＵＳＢ通信方式によって、カメラ１０と通信する。装置通信端子は、ＵＳＢ端子であり、ＵＳＢ通信用のケーブルが接続される。
【００２４】
記憶部５は、各種のデータを記憶する。記憶部５は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。
【００２５】
記憶部５は、制御プログラム５０、顔データベース５１、及びＩＤ管理データベース５２を記憶する。
【００２６】
制御プログラム５０は、画像形成装置１の各部の動作を制御するためのソフトウェアである。制御プログラム５０は、例えば、ファームウェアである。
【００２７】
顔データベース５１は、顔画像情報５１１と、第１ユーザー識別情報５１２とを関連付ける。顔画像情報５１１と、第１ユーザー識別情報５１２とは、顔データベース５１に予め登録されている。顔画像情報５１１は、被写体の顔（顔画像）の特徴が数値化された情報である。第１ユーザー識別情報５１２は、ユーザーを識別するための情報である。なお、顔画像は、被写体画像の一例である。
【００２８】
ＩＤ管理データベース５２は、第２ユーザー識別情報５２１を管理する。第２ユーザー識別情報５２１は、ユーザーを識別するための情報である。第２ユーザー識別情報５２１は、ＩＤ管理データベース５２に予め登録されている。
【００２９】
装置制御部６は、ＣＰＵ（Ｃｅｎｔｒａｌ  Ｐｒｏｃｅｓｓｉｎｇ  Ｕｎｉｔ）のようなプロセッサーによって構成される。また、装置制御部６は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。装置制御部６は、制御プログラム５０を実行することにより、画像形成装置１の各部の動作を制御する。
【００３０】
カメラ１０は、所定の撮像範囲を撮像して、撮像画像を示す撮像画像データを出力する。撮像画像は、被写体を示す画像を含む。カメラ１０は、レンズ、撮像素子、及びカメラ通信部など、一般的なＷｅｂカメラが備える構成を有する。本実施形態において、カメラ通信部は、ＵＳＢアダプターであり、ＵＳＢ通信方式によって、装置通信部４と通信する。詳しくは、カメラ通信部は、ＵＳＢ  Ｖｉｄｅｏ  Ｃｌａｓｓの規格に準拠して、撮像画像データを装置通信部４へ送信する。撮像画像データのフォーマットは、例えば、ＹＵＶフォーマットである。
【００３１】
また、カメラ通信部には、画像形成装置１から所定の間隔で電力が供給される。所定の間隔は、例えば、１秒間である。
【００３２】
装置通信部４は、受信した撮像画像データを装置制御部６へ入力する。装置制御部６は、装置通信部４を介してカメラ１０から受信した撮像画像データに基づいて、認証処理を実行する。本実施形態において、認証処理は、画像形成装置１の電源が起動すると開始される。
【００３３】
次に、図１〜図５を参照して、実施形態１に係る認証処理について説明する。図３は、実施形態１に係る認証処理を示すフローチャートである。
【００３４】
図３に示すように、装置制御部６は、撮像画像データをカメラ１０から取得する（ステップＳ１０２）。次いで、装置制御部６は、撮像画像データに基づいて画像判定処理を実行する（ステップＳ１０４）。次いで、装置制御部６は画像判定処理の結果が、顔画像無、顔画像有、及び光量不足のいずれであるかを判定する（ステップＳ１０６）。顔画像有は、撮像画像データが示す撮像画像に顔画像（顔画像情報５１１）が含まれることを示す。顔画像無は、撮像画像に顔画像（顔画像情報５１１）が含まれないことを示す。光量不足は、撮像画像に顔画像が含まれるが、顔画像を構成する画素の平均輝度値が輝度閾値よりも小さいことを示す。
【００３５】
画像判定処理の結果、顔画像無であると装置制御部６が判定すると（ステップＳ１０６：Ａ）、認証処理は、ステップＳ１０２へ戻る。
【００３６】
一方、装置制御部６は、画像判定処理の結果が顔画像有であると判定すると（ステップＳ１０６：Ｂ）、識別情報取得処理を実行し、識別情報取得処理が成功したか否かを判定する（ステップＳ１０８）。詳しくは、装置制御部６は、顔データベース５１を探索し、顔画像を示す顔画像情報５１１が顔データベース５１に登録済みであるか否かを判定することによって、識別情報取得処理が成功したか否かを判定する。装置制御部６は、顔画像情報５１１が顔データベース５１に登録済みではないと判定すると、識別情報取得処理が成功しないと判定する（ステップＳ１０８：Ｎｏ）。
【００３７】
一方、装置制御部６は、顔画像情報５１１が顔データベース５１に登録済みであると判定すると、識別情報取得処理が成功したと判定し（ステップＳ１０８：Ｙｅｓ）、顔画像情報５１１に関連付けられた第１ユーザー識別情報５１２を顔データベース５１から取得する（ステップＳ１１０）。
【００３８】
次いで、装置制御部６は、第１ユーザー識別情報５１２に基づいて、ＩＤ認証処理を実行し、ＩＤ認証処理が成功したか否かを判定する（ステップＳ１１２）。詳しくは、装置制御部６は、ＩＤ管理データベース５２を探索し、第１ユーザー識別情報５１２と一致する第２ユーザー識別情報５２１がＩＤ管理データベース５２に登録済みであるか否かを判定することによって、ＩＤ認証処理が成功したか否かを判定する。装置制御部６は、第１ユーザー識別情報５１２と一致する第２ユーザー識別情報５２１がＩＤ管理データベース５２に登録済みであると判定すると、ＩＤ認証処理が成功したと判定して（ステップＳ１１２：Ｙｅｓ）、認証処理を終了する。なお、認証処理が成功したユーザーは、画像形成装置１の機能を利用することができる。
【００３９】
一方、装置制御部６は、第１ユーザー識別情報５１２と一致する第２ユーザー識別情報５２１がＩＤ管理データベース５２に登録済みではないと判定すると、ＩＤ認証処理が成功しないと判定する（ステップＳ１１２：Ｎｏ）。
【００４０】
装置制御部６は、識別情報取得処理が成功しないと判定した場合（ステップＳ１０８：Ｎｏ）又はＩＤ認証処理が成功しないと判定した場合（ステップＳ１１２：Ｎｏ）、第１エラーをユーザーに通知する（ステップＳ１１４）。本実施形態において、装置制御部６は、第１エラー画面をディスプレー２１に表示させる。第１エラー画面は、第１エラーメッセージを含む。第１エラーメッセージは、ＩＤ認証処理に失敗したため、認証処理が失敗した旨を示す。装置制御部６は、第１エラーをユーザーに通知すると、認証処理を終了する。
【００４１】
また、装置制御部６は、画像判定処理の結果が光量不足であると判定すると（ステップＳ１０６：Ｃ）、画像判定処理を再実行するか否かを判定する（ステップＳ１１６）。本実施形態において、装置制御部６は、第１確認画面をディスプレー２１に表示させる。第１確認画面は、第１メッセージを含む。第１メッセージは、画像判定処理を再度実行するか否かの選択をユーザーに促すメッセージを示す。装置制御部６は、操作部２から受信した信号に基づいて、画像判定処理を再実行するか否かを判定する。詳しくは、装置制御部６は、操作部２から受信した信号が、画像判定処理の再実行を指示する旨を示す場合、画像判定処理を再実行すると判定する（ステップＳ１１６：Ｙｅｓ）。装置制御部６は、画像判定処理を再実行すると判定すると（ステップＳ１１６：Ｙｅｓ）、光源制御処理を実行する（ステップＳ１１８）。光源制御処理が終了すると、認証処理は、ステップＳ１０２へ戻る。
【００４２】
一方、装置制御部６は、操作部２から受信した信号が、画像判定処理の再実行を指示する旨を示さないと判定すると、画像判定処理を再実行しないと判定する（ステップＳ１１６：Ｎｏ）。装置制御部６は、画像判定処理を再実行しないと判定すると（ステップＳ１１６：Ｎｏ）、第２エラーをユーザーに通知する（ステップＳ１２０）。本実施形態において、装置制御部６は、第２エラー画面をディスプレー２１に表示させる。第２エラー画面は、第２エラーメッセージを含む。第２エラーメッセージは、画像判定処理の結果が光量不足であるため、認証処理が失敗した旨を示す。装置制御部６は、第２エラーをユーザーに通知すると、認証処理を終了する。なお、認証処理が失敗したユーザーは、画像形成装置１の機能の利用が制限される。
【００４３】
次に、図１〜図４を参照して、実施形態１に係る画像判定処理について説明する。図４は、実施形態１に係る画像判定処理（図３のステップＳ１０４）を示すフローチャートである。
【００４４】
図４に示すように、装置制御部６は、撮像画像データが示す撮像画像の中から顔領域の抽出が成功するか否かを判定する（ステップＳ２０２）。顔領域は、顔画像の全体を含む矩形領域のうち、最小サイズの矩形領域を示す。
【００４５】
装置制御部６は、顔領域の抽出が成功しないと判定すると（ステップＳ２０２：Ｎｏ）、撮像画像に顔画像が含まれない（顔画像無）と判定し（ステップＳ２０４）、画像判定処理を終了する。
【００４６】
一方、装置制御部６は、顔領域の抽出が成功したと判定すると（ステップＳ２０２：Ｙｅｓ）、輝度平均値が輝度閾値よりも大きいか否かを判定する（ステップＳ２０６）。輝度閾値は、管理者によって設定される。輝度平均値は、顔領域に含まれる顔画像構成画素が示す輝度値の平均値である。顔画像構成画素は、顔領域における顔画像を構成する複数の画素を示す。例えば、装置制御部６は、顔画像を構成する複数の画素の輝度値を順次取得し、取得した輝度値と輝度閾値との輝度差分を順次算出する。装置制御部６は、順次算出した輝度差分の合計値が０以上であるか否かを判定することにより、輝度平均値が輝度閾値よりも大きいか否かを判定する。装置制御部６は、輝度平均値が輝度閾値よりも大きいと判定すると（ステップＳ２０６：Ｙｅｓ）、撮像画像に顔画像が含まれる（顔画像有）と判定し（ステップＳ２０８）、画像判定処理を終了する。一方、装置制御部６は、輝度平均値が輝度閾値よりも大きくないと判定すると（ステップＳ２０６：Ｎｏ）、光量不足であると判定して（ステップＳ２１０）、画像判定処理を終了する。
【００４７】
次に、図１〜図５を参照して、実施形態１に係る光源制御処理（図３のステップＳ１１８）について説明する。図５は、実施形態１に係る光源制御処理を示すフローチャートである。
【００４８】
図５に示すように、装置制御部６は、第１光源２１１（図２参照）を発光させて（ステップＳ３０２）、光源制御処理を終了する。
【００４９】
以上、実施形態１について説明した。本実施形態によれば、装置制御部６は、画像判定処理の結果が光量不足であると判定し（図３のステップＳ１０６：Ｃ）、画像判定処理を再度実行すると判定すると（図３のステップＳ１１６：Ｙｅｓ）、第１光源２１１を発光させて、画像判定処理を再度実行する。したがって、本実施形態によれば、光量不足によって認証処理が失敗することが抑制される。
【００５０】
また、本実施形態に係るカメラ１０は、Ｗｅｂカメラである。一般的に、Ｗｅｂカメラは、露光量を調整する機能を有しない。したがって、本実施形態によれば、露光量を調整する機能を有しないカメラを利用した場合であっても、認証処理が失敗することが抑制できる。したがって、露光量を調整する機能を有しないカメラを利用して認証処理を実行することができる。
【００５１】
また、本実施形態において、画像形成システム１００は、画像形成装置１の既存の構成と、市販の入手容易なＷｅｂカメラとを利用して認証処理を実行する。したがって、ユーザーは、カメラ１０を利用した認証処理を容易に導入することができる。
【００５２】
また、本実施形態において、カメラ１０は、Ｗｅｂカメラである。一般的に、Ｗｅｂカメラはネットワークカメラ（ＩＰカメラ）と比較して安価である。したがって、ユーザーは、安価な構成によって、カメラ１０を利用した撮像画像データに基づく認証処理を実行することができる。
【００５３】
なお、本実施形態において、装置制御部６は、第１光源２１１を発光させたて画像判定処理を再度実行する場合について説明したが、装置制御部６が発光させる光源は、第１光源２１１に限定されない。例えば、装置制御部６は、操作部２が有するＬＥＤランプ２３１を発光させて画像判定処理を再度実行してもよい。
【００５４】
また、本実施形態において、ディスプレー２１が液晶ディスプレーであり、第１光源２１１が、液晶ディスプレーのバックライトを構成する場合を説明したが、ディスプレー２１は、例えば、有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）であり得る。この場合、第１光源２１１は、有機ＥＬ発光体である。
【００５５】
また、本実施形態において、装置制御部６は、光源制御処理を実行すると（図５のステップＳ３０２）、第１光源２１１を発光させたが、装置制御部６は、第１光源２１１を発光させる前に、光源に顔を近づける旨をユーザーに通知してもよい。具体的には、装置制御部６は、第２確認画面をディスプレー２１に表示させる。第２確認画面は、第２メッセージ及び実行ボタンを含む。第２メッセージは、顔を光源に近づけるようにユーザーに促すメッセージを示す。装置制御部６は、ユーザーによる実行ボタンの押下を示す信号を操作部２から受信すると、第１光源２１１を発光させる。
【００５６】
また、画像形成装置１は、人感センサを更に備えてもよい。人感センサは、被写体Ｈを検知すると、被写体Ｈを検知したことを示す検知信号を出力する。装置制御部６は、人感センサから検知信号を受信すると、画像形成装置１の動作モードを省エネモードから通常動作モードに切り替える。これにより、例えば、画像形成装置１が省エネモードであることによって、カメラ１０に電力が供給されないことが抑制される。なお、画像形成装置１が人感センサを備える場合、装置制御部６は、人感センサから検知信号を受信すると、認証処理を開始してもよい。
【００５７】
［実施形態２］
次に、図６〜図１１を参照して、実施形態２に係る画像形成システム１００について説明する。実施形態２は、画像形成装置１が原稿読取装置７を備える点が実施形態１と異なる。以下、実施形態２について実施形態１と異なる事項について説明し、実施形態１と重複する部分についての説明は割愛する。
【００５８】
まず、図６〜図８を参照して、実施形態２に係る画像形成システム１００の構成について説明する。図６は、実施形態２に係る画像形成システム１００の構成を示す図である。図７は、実施形態２に係る画像形成システム１００の構成を示すブロック図である。
【００５９】
図６及び図７に示すように、画像形成装置１は、原稿読取装置７を更に備える。原稿読取装置７は、原稿の画像を読み取って、原稿の画像を示す信号（原稿画像データ）を出力する。原稿読取装置７は、例えば、スキャナーである。
【００６０】
図８（ａ）及び図８（ｂ）は、実施形態２に係る原稿読取装置７の構成を示す図である。詳しくは、図８（ａ）は、原稿読取装置７の外観を示す図であり、図８（ｂ）は、原稿読取装置７の内部を模式的に示す図である。
【００６１】
図８（ａ）に示すように、原稿読取装置７は、筐体７０、カバー部材７１、開閉検知スイッチ７２、及びコンタクトガラス７３を有する。
【００６２】
開閉検知スイッチ７２は、筐体７０の上面に設けられる。コンタクトガラス７３は、その上面が、筐体７０から露出するように、筐体７０の内部に設けられる。コンタクトガラス７３には、原稿が載置される。
【００６３】
図８（ａ）及び図８（ｂ）に示すように、筐体７０は、カバー部材７１を開閉自在に支持する。開閉検知スイッチ７２は、カバー部材７１の姿勢が開姿勢及び閉姿勢のいずれであるかを示す開閉信号を出力する。コンタクトガラス７３は、カバー部材７１が開姿勢である場合、露出する。一方、コンタクトガラス７３は、カバー部材７１が閉姿勢である場合、カバー部材７１によって覆われる。
【００６４】
また、図８（ｂ）に示すように、原稿読取装置７は、読取機構７４を更に有する。読取機構７４は、コンタクトガラス７３を挟んでカバー部材７１と対向する位置に設けられる。読取機構７４は、コンタクトガラス７３に載置された原稿に光を照射し、原稿から反射する光を読み取って、原稿の画像を示す信号を出力する。本実施形態において、読取機構７４は、光学縮小方式によって、原稿の画像を読み取る。
【００６５】
詳しくは、読取機構７４は、第２光源７４１、キャリッジ７４２、光学系７４３、及びＣＣＤ（Ｃｈａｒｇｅ−Ｃｏｕｐｌｅｄ  Ｄｅｖｉｃｅ）イメージセンサー７４４を含む。第２光源７４１は、キャリッジ７４２に支持される。第２光源７４１は、例えば、ＬＥＤである。キャリッジ７４２は、副走査方向Ｓ１に移動する。換言すると、第２光源７４１は、副走査方向Ｓ１に移動する。第２光源７４１は、副走査方向Ｓ１に移動しながら、コンタクトガラス７３上に載置された原稿に対して光を照射する。光学系７４３は、原稿から反射する光をＣＣＤイメージセンサー７４４に導く。ＣＣＤイメージセンサー７４４は、光学系７４３によって導かれた光を電気信号（原稿の画像を示す信号）に変換して出力する。
【００６６】
次に、図３、及び図６〜図９を参照して、実施形態２に係る光源制御処理について説明する。図９は、実施形態２に係る光源制御処理を示すフローチャートである。
【００６７】
図９に示すように、装置制御部６は、開閉検知スイッチ７２から受信した開閉信号に基づいて、カバー部材７１が開姿勢であるか否かを判定する（ステップＳ４０２）。装置制御部６は、カバー部材７１が開姿勢であると判定すると（ステップＳ４０２：Ｙｅｓ）、光源移動処理を実行する（ステップＳ４０４）。次いで、装置制御部６は、第２光源７４１を発光させて（ステップＳ４０６）、光源制御処理を終了する。一方、装置制御部６は、カバー部材７１が開姿勢ではないと判定すると（ステップＳ４０２：Ｎｏ）、第１光源２１１を発光させて（ステップＳ３０２）、光源制御処理を終了する。
【００６８】
次に、図６〜図１１を参照して、実施形態２に係る光源移動処理について説明する。光源移動処理において、装置制御部６は、カメラ１０の撮像範囲ＳＡにおける被写体Ｈの位置とカメラ１０の配置場所とに基づいて、第２光源７４１を移動させる。詳しくは、装置制御部６は、第１ズレ度Ｒｆ及び／又は第２ズレ度Ｒｃに基づいて移動量ＤＭを算出し、第２光源７４１を移動量ＤＭだけ移動させる。
【００６９】
まず、図１０（ａ）を参照して、実施形態２に係る第１ズレ度Ｒｆについて説明する。図１０（ａ）は、実施形態２に係る撮像画像ＳＧを示す図である。
【００７０】
図１０（ａ）に示すように、撮像画像ＳＧは、被写体Ｈを示す顔画像ＦＧを含む。図１０（ａ）に示す顔中心距離Ｄｆは、撮像画像ＳＧの原点Ｐｓから顔中心位置Ｃｆまでの距離（例えば、画素数）を示す。顔中心位置Ｃｆは、顔画像ＦＧの左右方向における中心位置Ｃｆを示す。画像距離Ｄｓは、撮像画像ＳＧの左右方向における距離（例えば、画素数）を示し、画像中心距離（Ｄｓ／２）は、撮像画像ＳＧの原点Ｐｓから画像中心位置Ｃｓまでの距離（例えば、画素数）を示す。画像中心位置Ｃｓは、撮像画像ＳＧの左右方向における中心位置Ｃｓを示す。
【００７１】
第１ズレ度Ｒｆは、画像中心位置Ｃｓに対する顔中心位置Ｃｆのズレ度合を示す。第１ズレ度Ｒｆは、以下の式１で求められる。
Ｒｆ  ＝  （Ｄｆ−（Ｄｓ／２））／（Ｄｓ／２）・・・（式１）
顔中心位置Ｃｆが画像中心位置Ｃｓと一致する場合、第１ズレ度Ｒｆの値は、「０」を示す。また、顔中心位置Ｃｆが撮像画像ＳＧの右端に位置する場合、第１ズレ度Ｒｆの値は、「＋１」を示し、顔中心位置Ｃｆが撮像画像ＳＧの左端に位置する場合、第１ズレ度Ｒｆの値は、「−１」を示す。
【００７２】
次に、図１０（ｂ）を参照して、実施形態２に係る第２ズレ度Ｒｃについて説明する。図１０（ｂ）は、実施形態２に係るコンタクトガラス７３及びカメラ１０を示す図である。なお、本実施形態において、副走査方向Ｓ１は、画像形成装置１の左右方向と一致する。
【００７３】
図１０（ｂ）に示すように、カメラ１０は、被写体Ｈを含む所定の撮像範囲ＳＡを撮像する。図１０（ｂ）に示すカメラ中心距離Ｄｃは、コンタクトガラス７３の原点Ｐｇからカメラ中心位置Ｃｃまでの距離（例えば、インチ数）を示す。カメラ中心位置Ｃｃは、カメラ１０の左右方向における中心位置Ｃｃを示す。ガラス距離Ｄｇは、コンタクトガラス７３の左右方向における長さ（例えば、インチ数）を示し、ガラス中心距離（Ｄｇ／２）は、コンタクトガラス７３の原点Ｐｇからガラス中心位置Ｃｇまでの長さ（例えば、インチ数）を示す。ガラス中心位置Ｃｇは、コンタクトガラス７３の左右方向における中心位置Ｃｇを示す。移動量ＤＭは、第２光源７４１の副走査方向Ｓ１への移動量を示す。移動量ＤＭ（第２光源７４１の移動範囲）は、ガラス距離Ｄｇと略一致する。
【００７４】
第２ズレ度Ｒｃは、ガラス中心位置Ｃｇに対するカメラ中心位置Ｃｃのズレ度合を示す。第２ズレ度Ｒｃは、以下の式２で求められる。
Ｒｃ  ＝  （Ｄｃ−（Ｄｇ／２））／（Ｄｇ／２）・・・（式２）
カメラ中心位置Ｃｃがガラス中心位置Ｃｇと一致する場合、第２ズレ度Ｒｃの値は、「０」を示す。また、カメラ中心位置Ｃｃがコンタクトガラス７３の右端に位置する場合、第２ズレ度Ｒｃの値は、「＋１」を示し、カメラ中心位置Ｃｃがコンタクトガラス７３の左端に位置する場合、第２ズレ度Ｒｃの値は、「−１」を示す。
【００７５】
続いて、図１１を参照して、実施形態２に係る移動量の算出方法について説明する。図１１は、実施形態２に係る光源移動処理を示すフローチャートである。
【００７６】
図１１に示すように、装置制御部６は、図１０（ａ）を参照して説明した（式１）を用いて、第１ズレ度Ｒｆを算出する（ステップＳ５０２）。次いで、装置制御部６は、第１ズレ度Ｒｆの絶対値が第１ズレ閾値Ｔｆ以下であるか否かを判定する（ステップＳ５０４）。第１ズレ閾値Ｔｆは、管理者によって設定される。第１ズレ閾値Ｔｆは、例えば、「０．１」である。装置制御部６は、第１ズレ度Ｒｆが第１ズレ閾値Ｔｆ以下である、即ち、顔中心位置Ｃｆが画像中心位置Ｃｓと略一致している（カメラ１０の略正面に被写体Ｈが位置する）と判定すると（ステップＳ５０４：Ｙｅｓ）、第２光源７４１の移動量ＤＭとして、第１移動量ＤＭ１を算出する（ステップＳ５０６）。詳しくは、第１移動量ＤＭ１は、以下の式３で求められる。
ＤＭ１  ＝  Ｄｃ・・・（式３）
装置制御部６は、第１移動量ＤＭ１を算出すると、第２光源７４１を第１移動量ＤＭ１だけ移動させる（ステップＳ５０８）。この結果、第２光源７４１が、カメラ中心距離Ｄｃだけ移動して、即ち、顔中心位置Ｃｆまで移動して、光源移動処理が終了する。
【００７７】
一方、装置制御部６は、第１ズレ度Ｒｆが第１ズレ閾値Ｔｆ以下ではないと判定すると（ステップＳ５０４：Ｎｏ）、図１０（ｂ）を参照して説明した（式２）を用いて、第２ズレ度Ｒｃを算出する（ステップＳ５１０）。次いで、装置制御部６は、第２ズレ度Ｒｃの絶対値が第２ズレ閾値Ｔｃ以下であるか否かを判定する（ステップＳ５１２）。第２ズレ閾値Ｔｃは、管理者によって設定される。第２ズレ閾値Ｔｃは、例えば、０．２である。装置制御部６は、第２ズレ度Ｒｃが第２ズレ閾値Ｔｃ以下である、即ち、カメラ中心位置Ｃｃがガラス中心位置Ｃｇと略一致している（コンタクトガラス７３の左右方向の略中心にカメラ１０が配置されている）と判定すると（ステップＳ５１２：Ｙｅｓ）、第２光源７４１の移動量ＤＭとして、第２移動量ＤＭ２を算出する（ステップＳ５１４）。詳しくは、第２移動量ＤＭ２は、以下の式４で求められる。
ＤＭ２  ＝  （Ｄｇ／２）×（１．０＋Ｒｆ）・・・（式４）
装置制御部６は、第２移動量ＤＭ２を算出すると、第２光源７４１を第２移動量ＤＭ２だけ移動させる（ステップＳ５１６）。この結果、第２光源７４１が、ガラス中心位置Ｃｇから第１ズレ度Ｒｆ（画像中心位置Ｃｓに対する顔中心位置Ｃｆのズレ度合）に基づいて補正された位置、即ち、顔中心位置Ｃｆまで移動して、光源移動処理が終了する。
【００７８】
一方、装置制御部６は、第２ズレ度Ｒｃが第２ズレ閾値Ｔｃ以下ではない、即ち、カメラ中心位置Ｃｃがガラス中心位置Ｃｇから離れており、且つ、顔中心位置Ｃｆが画像中心位置Ｃｓから離れていると判定すると（ステップＳ５１２：Ｎｏ）、第２光源７４１の移動量ＤＭとして、第３移動量ＤＭ３を算出する（ステップＳ５１８）。詳しくは、装置制御部６は、合計ズレ度Ｒを算出し、合計ズレ度Ｒに基づいて、第３移動量ＤＭ３を算出する。詳しくは、合計ズレ度Ｒは、以下の式５で求められる。
Ｒ  ＝  Ｒｆ  ＋  Ｒｃ・・・（式５）
装置制御部６は、第２光源７４１が移動することができる移動範囲内の値となるように合計ズレ度Ｒの値を補正する。詳しくは、装置制御部６は、合計ズレ度Ｒの値が、「−１．０」よりも小さい、又は「１．０」よりも大きいか否かを判定する。装置制御部６は、合計ズレ度Ｒの値が、「−１．０」よりも小さい、又は「１．０」よりも大きいと判定すると、合計ズレ度Ｒの値を補正する。詳しくは、装置制御部６は、合計ズレ度Ｒの値を「−１．０」以上且つ「１．０」以下に変更する。具体的には、装置制御部６は、合計ズレ度Ｒの値が「−１．０」よりも小さいと判定すると、合計ズレ度Ｒの値を、例えば、「−１．０」に変更する。また、装置制御部６は、合計ズレ度Ｒの値が「１．０」よりも大きいと判定すると、合計ズレ度Ｒの値を、例えば、「１．０」に変更する。
【００７９】
装置制御部６は、合計ズレ度Ｒを算出すると、第３移動量ＤＭ３を算出する。第３移動量ＤＭ３は、以下の式６で求められる。
ＤＭ３  ＝  （Ｄｇ／２）×Ｒ・・・（式６）
装置制御部６は、第３移動量ＤＭ３を算出すると、第２光源７４１を第３移動量ＤＭ３だけ移動させる（ステップＳ５２０）。この結果、第２光源７４１が、合計ズレ度Ｒに基づいて補正された位置、即ち、第２光源７４１の移動範囲のうち、顔中心位置Ｃｆに最も近い位置まで移動して、光源移動処理が終了する。
【００８０】
以上、実施形態２について説明した。本実施形態によれば、装置制御部６は、カバー部材７１が開姿勢であるか否かを判定し、カバー部材７１が開姿勢であると判定すると、第２光源７４１を発光させる。第２光源７４１は、可動式光源である。装置制御部６は、第２光源７４１の移動量ＤＭを算出し、第２光源７４１を顔画像ＨＧに最も近づく位置まで移動量ＤＭだけ移動させる。移動量ＤＭは、撮像範囲ＳＡにおける顔画像ＦＧの位置、カメラ１０の設置場所（ガラス中心位置Ｃｇに対するカメラ中心位置Ｃｃ（撮像範囲ＳＡの中心位置））、及び第２光源７４１の移動範囲に基づいて算出される。したがって、第２光源７４１は、被写体Ｈを効率良く照射することができる。この結果、カメラ１０から送信された撮像画像データに基づく認証処理が失敗することが抑制される。よって、露光量を調整する機能を有しないカメラを利用して認証処理を実行することができる。
【００８１】
なお、本実施形態において、装置制御部６は、（式１）〜（式６）によって、第２光源７４１の移動量ＤＭ（第１移動量ＤＭ１、第２移動量ＤＭ２、及び第３移動量ＤＭ３）を算出する場合を例に説明したが、装置制御部６は、コンタクトガラス７３に対するカメラ１０の位置が予め取得できる場合、原稿読取装置７が生成する画像データの画素数と、カメラ１０から送信された撮像画像データの画素数との比に基づいて、第２光源７４１の移動量ＤＭを算出してもよい。
【００８２】
また、本実施形態において、原稿読取装置７は、光学縮小方式によって、原稿の画像を読み取る構成を説明したが、原稿読取装置７は、密着センサ方式によって、原稿の画像を読み取ってもよい。
【００８３】
以上、本発明の実施形態について、図面（図１〜図１１）を参照しながら説明した。但し、本発明は、上記の実施形態に限られるものではなく、その要旨を逸脱しない範囲で種々の態様において実施することが可能である。また、上記の実施形態で示す構成や数値は、一例であって特に限定されるものではなく、本発明の効果から実質的に逸脱しない範囲で種々の変更が可能である。
【００８４】
例えば、本発明の実施形態において、電子写真方式の画像形成装置１に本発明が適用される場合を例に説明したが、本発明は、例えば、インクジェット方式の画像形成装置にも適用可能である。
【産業上の利用可能性】
【００８５】
本発明は、画像形成装置の分野に有用である。
【符号の説明】
【００８６】
１            画像形成装置
２            操作部
４            入力部
６            装置制御部
【図１】
2019109595.tif 000003
【図２】
2019109595.tif 000004
【図３】
2019109595.tif 000005
【図４】
2019109595.tif 000006
【図５】
2019109595.tif 000007
【図６】
2019109595.tif 000008
【図７】
2019109595.tif 000009
【図８】
2019109595.tif 000010
【図９】
2019109595.tif 000011
【図１０】
2019109595.tif 000012
【図１１】
2019109595.tif 000013